(57)【特許請求の範囲】
【請求項１】
所定の位置データと日時データにおけるスループットの情報を前記位置データと日時データの組と対応付けて記憶する記憶手段と、
所定タイミングで自装置の位置と日時の情報を取得し、前記記憶手段で前記位置と日時の情報をそれぞれ含む位置データと日時データの組を検索して、前記検索された組がある場合、前記検索された組に対応付けて記憶されているスループットに適応する通信モードへの切替を行い、前記記憶手段で前記検索された組がない場合、スループットを測定し、前記記憶手段に前記測定されたスループットを、前記位置と日時の情報をそれぞれ含む位置データと日時データの組と対応付けて記憶する制御手段と
を備えることを特徴とする無線装置。
【請求項２】
前記所定のタイミングは、自装置の所定距離以上の移動があったとき、または、自装置の接続する基地局の切替があったときである
ことを特徴とする請求項１に記載の無線装置。
【請求項３】
前記所定の位置データと日時データにおけるスループットの情報は、測定または推測時から所定時間が経過したときに更新される
ことを特徴とする請求項１もしくは２に記載の無線装置。
【請求項４】
所定の位置データと日時データにおけるスループットの情報を前記位置データと日時データの組と対応付けて記憶手段に記憶する記憶工程と、
所定タイミングで無線装置の位置と日時の情報を取得し、前記記憶手段で前記位置と日時の情報をそれぞれ含む位置データと日時データの組を検索して、前記検索された組がある場合、前記検索された組に対応付けて記憶されているスループットに適応する通信モードへの切替を行い、前記記憶手段で前記検索された組がない場合、スループットを測定し、前記記憶手段に前記測定されたスループットを、前記位置と日時の情報をそれぞれ含む位置データと日時データの組と対応付けて記憶する制御工程と
を備えることを特徴とする無線装置の制御方法。
【請求項５】
前記所定のタイミングは、無線装置の所定距離以上の移動があったとき、または、無線装置の接続する基地局の切替があったときである
ことを特徴とする請求項４に記載の無線装置の制御方法。
【請求項６】
前記所定の位置データと日時データにおけるスループットの情報は、測定または推測時から所定時間が経過したときに更新される
ことを特徴とする請求項４もしくは５に記載の無線装置の制御方法。
【請求項７】
無線装置に、
所定の位置データと日時データにおけるスループットの情報を前記位置データと日時データの組と対応付けて記憶手段に記憶する記憶処理と、
所定タイミングで無線装置の位置と日時の情報を取得し、前記記憶手段で前記位置と日時の情報をそれぞれ含む位置データと日時データの組を検索して、前記検索された組がある場合、前記検索された組に対応付けて記憶されているスループットに適応する通信モードへの切替を行い、前記記憶手段で前記検索された組がない場合、スループットを測定し、前記記憶手段に前記測定されたスループットを、前記位置と日時の情報をそれぞれ含む位置データと日時データの組と対応付けて記憶する制御処理と
を実行させることを特徴とする無線装置のプログラム。
【請求項８】
前記所定のタイミングは、無線装置の所定距離以上の移動があったとき、または、無線装置の接続する基地局の切替があったときである
ことを特徴とする請求項７に記載の無線装置のプログラム。
【請求項９】
前記所定の位置データと日時データにおけるスループットの情報は、測定または推測時から所定時間が経過したときに更新される
ことを特徴とする請求項７もしくは８に記載の無線装置のプログラム。
【発明の詳細な説明】
【技術分野】
【０００１】
本発明は、無線装置、制御方法およびプログラムに関する。
【背景技術】
【０００２】
無線通信のスループット情報にもとづいてＬＴＥ（Long Term Evolution）、３Ｇなどの無線通信方式を切り替える技術が特許文献１、２に記載されている。すなわち、特許文献１に記載の無線通信端末は、パケットのモニタリングにより無線通信方式の通信スループット情報を取得し、通信スループット情報にもとづいて無線通信方式の切替を制御する。また、特許文献２に記載の通信装置は、データのスループットを計測し、スループット情報をもとに通信モードを切り替える。
【先行技術文献】
【特許文献】
【０００３】
【特許文献１】特開２０１４−２７４５０号公報
【特許文献２】特開２０１３−１９１９７５号公報
【発明の概要】
【発明が解決しようとする課題】
【０００４】
特許文献１、２に記載の装置は、周期的にスループットを測定し、スループット情報にもとづいて通信モードを切り替えている。ところで、スループットの測定にはある程度の時間が掛かるため、その時間分、スループット情報にもとづいて行われる適切な通信モードへの切替が遅れてしまうことになる。また、必要以上に高速なモードで通信すること等の、適切でない接続モードでの通信は適切な通信モードでの通信に比べて多くの電力を消費することがある。そのため、スループットの測定を行ってから適切な通信モードへの切替を行う際、スループットの測定時間分、無駄な電力が消費されてしまうことがある。このように、スループットにもとづく通信モードの切替において切替の遅れや無駄な電力消費が少なからずあることが課題である。
【０００５】
本発明の目的は、上記課題を解決する無線装置、制御方法およびプログラムを提供することである。
【課題を解決するための手段】
【０００６】
本発明の無線装置は、所定の位置データと日時データにおけるスループットの情報を前記位置データと日時データの組と対応付けて記憶する記憶手段と、所定タイミングで自装置の位置と日時の情報を取得し、前記記憶手段で前記位置と日時の情報をそれぞれ含む位置データと日時データの組を検索して、前記検索された組がある場合、前記検索された組に対応付けて記憶されているスループットに適応する通信モードへの切替を行い、前記記憶手段で前記検索された組がない場合、スループットを測定し、前記記憶手段に前記測定されたスループットを、前記位置と日時の情報をそれぞれ含む位置データと日時データの組と対応付けて記憶する制御手段とを備えることを特徴とする。
【０００７】
本発明の無線装置の制御方法は、所定の位置データと日時データにおけるスループットの情報を前記位置データと日時データの組と対応付けて記憶手段に記憶する記憶工程と、所定タイミングで無線装置の位置と日時の情報を取得し、前記記憶手段で前記位置と日時の情報をそれぞれ含む位置データと日時データの組を検索して、前記検索された組がある場合、前記検索された組に対応付けて記憶されているスループットに適応する通信モードへの切替を行い、前記記憶手段で前記検索された組がない場合、スループットを測定し、前記記憶手段に前記測定されたスループットを、前記位置と日時の情報をそれぞれ含む位置データと日時データの組と対応付けて記憶する制御工程とを備えることを特徴とする。
【０００８】
本発明の無線装置のプログラムは、無線装置に、所定の位置データと日時データにおけるスループットの情報を前記位置データと日時データの組と対応付けて記憶手段に記憶する記憶処理と、所定タイミングで無線装置の位置と日時の情報を取得し、前記記憶手段で前記位置と日時の情報をそれぞれ含む位置データと日時データの組を検索して、前記検索された組がある場合、前記検索された組に対応付けて記憶されているスループットに適応する通信モードへの切替を行い、前記記憶手段で前記検索された組がない場合、スループットを測定し、前記記憶手段に前記測定されたスループットを、前記位置と日時の情報をそれぞれ含む位置データと日時データの組と対応付けて記憶する制御処理とを実行させることを特徴とする。
【発明の効果】
【０００９】
本発明によれば、スループットにもとづく通信モードの切替において切替の遅れや無駄な電力消費の頻度を低減することが可能となる。
【図面の簡単な説明】
【００１０】
【図１】第１の実施形態に係る無線装置の構成例を示すブロック図である。
【図２】第２の実施形態に係るモバイルルータの構成例を示すブロック図である。
【図３】第２の実施形態に係るモバイルルータの動作例を示すフローチャートである。
【図４】第２の実施形態に係るモバイルルータにおける位置、日時、スループットの情報の管理例を示す表である。
【図５】第２の実施形態に係るモバイルルータにおけるスループットと通信モードとの対応関係例を示す表である。
【発明を実施するための形態】
【００１１】
以下、本発明の実施形態に係る無線装置、制御方法およびプログラムについて説明する。なお、図面における矢印の向きは、一例を示すものであり、ブロック間の信号の向きを限定するものではない。
【００１２】
まず、本発明の第１の実施形態について、図面を参照して説明する。
【００１３】
本実施形態では、スループットにもとづく通信モードの切替において切替の遅れや無駄な電力消費の頻度を低減する、最小限の要素で構成された無線装置について説明する。
【００１４】
図１に、本実施形態に係る無線装置の構成例を示す。無線装置１００は、記憶部１０１、制御部１０２を含む。
【００１５】
記憶部１０１は、所定の位置データと日時データにおけるスループットの情報を位置データと日時データの組と対応付けて記憶する。
【００１６】
制御部１０２は、無線装置１００の位置と日時の情報を取得し、位置と日時の情報をそれぞれ含む位置データと日時データの組を検索して、その組に対応付けて記憶されているスループット情報の有無に応じて、スループットに適応する通信モードへの切替を行う。制御部１０２は、測定したスループットの情報を、位置と日時の情報をそれぞれ含む位置データと日時データの組と対応付けて記憶する。
【００１７】
上記の構成例を踏まえ、本実施形態に係る無線装置１００の動作例について説明する。
【００１８】
ユーザ等の所定操作により起動された無線装置１００において、記憶部１０１が所定の位置データと日時データにおけるスループットの情報をその位置データと日時データの組と対応付けて記憶する。制御部１０２が所定タイミングで無線装置１００の位置と日時の情報を取得し、記憶部１０１でその位置と日時の情報をそれぞれ含む位置データと日時データの組を検索する。その検索された組がある場合、その検索された組に対応付けて記憶されているスループットに適応する通信モードへの切替を行う。記憶部１０１でその検索された組がない場合、制御部１０２はスループットを測定し、記憶部１０１にその測定されたスループットを、その位置と日時の情報をそれぞれ含む位置データと日時データの組と対応付けて記憶する。
【００１９】
以上のように、無線装置は、スループット情報を要するタイミングで無線装置の位置と日時を取得し、その位置と日時の組に対応するスループット情報が記憶されていると、スループットの測定を行わず、そのスループット情報にもとづいて通信モードの切替を行う。また、無線装置は、その位置と日時の組に対応するスループット情報が記憶されていないと、スループットを測定し、そのスループットの情報をその位置と日付を含む位置・日付データの組と対応付けて記憶する。
【００２０】
このように、スループットにもとづく通信モードの切替において切替の遅れや無駄な電力消費の頻度を低減することが可能となる。
【００２１】
次に、本発明の第２の実施形態について、図面を参照して説明する。
【００２２】
本実施形態では、スループットにもとづく通信モードの切替において切替の遅れや無駄な電力消費の頻度を低減するモバイルルータについて説明する。なお、本実施形態では、モバイルルータに本発明が適用される場合について説明するが、本発明は、スマートフォン、携帯電話などを含む、無線通信の速度を切り替える無線装置に適用可能である。
【００２３】
図２に、本実施形態に係るモバイルルータの構成例を示す。モバイルルータ１０は、制御部１１、メモリ１２、測定部１３、ＧＰＳ（Global Positioning System）センサ１４、無線ＷＡＮ（Wide Area Network）通信部１５、無線ＬＡＮ（Local Area Network）通信部１６を含む。
【００２４】
モバイルルータ１０は、無線ＷＡＮ通信部１５で基地局２０を介してインターネットに接続する。また、モバイルルータ１０には、無線ＬＡＮ通信部１６でＰＣ（Personal Computer）、スマートフォンなどの端末３０が接続される。なお、無線ＷＡＮ通信の通信方式として、ＬＴＥ、３Ｇなどがある。
【００２５】
制御部１１は、通信モードの切替、スループット、モバイルルータの位置と日時の情報の取得や検索、情報の記憶の制御などを行う。
【００２６】
メモリ１２は、スループット、位置と日時の情報の記憶を行う。
【００２７】
測定部１３は、スループットの測定を行う。
【００２８】
上記の構成例を踏まえ、本実施形態に係るモバイルルータ１０の動作例について、図３〜図５を参照して説明する。図３に、モバイルルータの動作例のフローチャートを示す。
【００２９】
ユーザ等の所定操作により起動されたモバイルルータ１０において、制御部１１が所定のタイミング（例えば、周期）でＧＰＳセンサ１４からモバイルルータ１０の位置と日時の情報を取得する（Ｓ３０１）。制御部１１は取得した位置情報と日時情報がそれぞれ含まれる位置データと日時データの組をメモリ１２内で検索する（Ｓ３０２）。
【００３０】
図４に、メモリ１２に記憶される位置データと日時データ、スループットの情報の管理例を示す。位置データと日時データの組と、それに対応する、測定されたスループットとが対応付けられて記憶される。位置データは、例えば、基地局からの電波強度が同等な場所、地下の特定の場所などのように、所定の日時にスループットが同じとなると推測される位置の範囲であり、各位置は、ｘｙｚ座標（例えば、緯度、経度、高度）で表される。スループットが同じ位置の範囲は、例えば、基地局の位置のマップを用い、直近の基地局までの距離や見通しの有無などにもとづいて推測される。日時データは、例えば、年月日に依存しない、平日、休日、昼間、夜間、深夜、通勤時間、昼休み時間、特定の時間帯などの組合せの一つのように、所定の位置でスループットが同じとなると推測される日時の範囲であり、各日時は、年月日の属性（平日、休日など）、時分で表される。スループットは、所定の有効桁数で表される。なお、スループットが所定の有効桁数で同じ（以降、単に「同じ」とする）である位置データと日時データの組（複数）は、一つの組にまとめられる。また、時間帯に依存して、モバイルルータ１０の周囲にある他の無線通信の量が変動するため、スループットも変動する。上記の管理のため、スループットが同じとなると推測される位置データおよび日時データ（日時については、平日／休日、時間帯など）を、例えば、ユーザの行動パターンに合わせて、あらかじめ記憶させておく。また、測定されたスループットは、相当の年月が経過すると現状とは違う値になっていることがあるため、測定時から所定の年月が経過したときに改めて測定を行ってスループットを更新するようにしてもよい。上記のＳ３０２の処理の検索における日時の検索キーは、通常、年月日を含まず、代わりに平日、休日などを区別するためのキーを含むようにしてもよい。
【００３１】
Ｓ３０２の処理で該当する組があれば（Ｓ３０２でＹｅｓ）、制御部１１はメモリ１２内でその組に対応付けられているスループット情報にもとづいて無線ＷＡＮ通信部１５の通信モードを通信速度が当該スループット以上で消費電力がより少ないものに切り替える（Ｓ３０３）。図５に、スループットと通信モードとの対応関係例を示す。該当する組がなければ（Ｓ３０２でＮｏ）、制御部１１は測定部１３にＷＡＮ側のネットワークのスループットを測定させる（Ｓ３０４）。制御部１１は測定されたスループットの情報にもとづいて無線ＷＡＮ通信部１５の通信モードを通信速度が当該スループット以上で消費電力がより少ないものに切り替える（Ｓ３０５）。また、制御部１１は測定されたスループットの情報を測定時の（Ｓ３０１の処理で取得した）位置と日時の情報をそれぞれ含む位置データと日時データの組と対応付けてメモリ１２に記憶させる（Ｓ３０６）。なお、測定されたスループットと同じものがメモリ１２に記憶されている場合には、測定時の位置と日時をそれぞれ含む位置データと日時データの組を当該スループットに対応付けられている位置データと日時データの組に加える。また、上記のスループットの測定は、あらかじめ行う等、上記の処理とは別にも行うようにしてもよい。その場合、スループットは、測定されたものだけでなく、推定されたものを含んでもよい。なお、以上のスループットの測定や推定は、位置データと日時データの各組の代表的な位置と日時について行われれば十分であることになる。
【００３２】
なお、上記のＳ３０１の処理で、制御部１１が位置と日時の情報を取得する所定のタイミングは、特許文献１や２に記載の装置がスループットの測定を行うタイミングと同様に周期的であってもよい。
【００３３】
Ｓ３０１の処理において、制御部１１が取得した位置の情報を記憶しておき、最新の位置について所定距離以上の移動があったかを判定するようにし、該当する移動があった場合に、Ｓ３０２の処理を行うようにしてもよい。また、Ｓ３０１の処理として、制御部１１が所定のタイミングでモバイルルータ１０の接続している基地局を検知するようにし、基地局の切替があった場合に、制御部１１がＧＰＳセンサ１４からモバイルルータ１０の位置と日時の情報を取得するようにしてもよい。さらに、Ｓ３０１の処理として、これらの動作を組み合わせてもよい。スループットはモバイルルータと基地局との距離と相関があり、モバイルルータ１０が大きく移動した場合には、スロープットが大きく変化する可能性がある。また、基地局が対応する通信モードは基地局のタイプに依存して異なるため、基地局の切替があった場合には、スループットが大きく変化する可能性がある。このため、スロープットが大きく変化する可能性がある場合にだけ、スループットの測定やメモリ１２内の検索を行うようにすることが可能となる。
【００３４】
以上のように、モバイルルータは、スループット情報を要するタイミングでモバイルルータの位置と日時を取得し、その位置と日時の組に対応するスループット情報が記憶されていると、スループットの測定を行わず、そのスループット情報にもとづいて通信モードの切替を行う。また、モバイルルータは、その位置と日時の組に対応するスループット情報が記憶されていないと、スループットを測定し、そのスループットの情報をその位置と日付を含む位置・日時データの組と対応付けて記憶する。
【００３５】
このように、スループットにもとづく通信モードの切替において切替の遅れや無駄な電力消費の頻度を低減することが可能となる。
【００３６】
なお、以上の実施形態において、係る動作処理を実行させるためのプログラムを、ＣＤ−ＲＯＭ、ＭＯなどのコンピュータ読取可能な記録媒体に格納して配布してもよい。該プログラムを無線装置にインストールすることにより、無線装置に該動作処理を実行させてもよい。ＣＤ−ＲＯＭはCompact Disk Read-Only Memoryの略称で、ＭＯはMagneto-Optical diskの略称である。
【産業上の利用可能性】
【００３７】
本発明は、無線装置、制御方法およびプログラムに利用可能である。
【符号の説明】
【００３８】
１０    モバイルルータ
１１    制御部
１２    メモリ
１３    測定部
１４    ＧＰＳセンサ
１５    無線ＷＡＮ通信部
１６    無線ＬＡＮ通信部
２０    基地局
３０    端末
１００    無線装置
１０１    記憶部
１０２    制御部
【図１】
0006595933.tif 000002
【図２】
0006595933.tif 000003
【図３】
0006595933.tif 000004
【図４】
0006595933.tif 000005
【図５】
0006595933.tif 000006